(57)【要約】【課題】信号処理における周波数の設定を容易にできるようにし、利便性を向上する。【解決手段】信号処理装置は、音信号入力部と、音信号に所定の音響効果を付加するエフェクタの設定周波数の設定を指示する指示部と、前記指示部からの指示に基づいて、前記音信号入力部から入力された音信号の周波数を特定し、特定した前記音信号の周波数を前記エフェクタの設定周波数に設定する設定処理部とを備える。【選択図】図１
2020205564.tif 000002
【特許請求の範囲】
【請求項１】
音信号入力部と、
音信号に所定の音響効果を付加するエフェクタの設定周波数の設定を指示する指示部と、
前記指示部からの指示に基づいて、前記音信号入力部から入力された音信号の周波数を特定し、特定した前記音信号の周波数を前記エフェクタの設定周波数に設定する設定処理部と
を備える信号処理装置。
【請求項２】
前記設定処理部が設定した前記設定周波数に基づいて、前記所定の音響効果を付加する前記エフェクタと、
前記エフェクタによって前記所定の音響効果が付加された出力音信号を出力する音信号出力部と
を備える請求項１に記載の信号処理装置。
【請求項３】
前記エフェクタは、前記音信号入力部から入力された音信号に音響効果を付加する
請求項２に記載の信号処理装置。
【請求項４】
前記エフェクタには、少なくともパラメトリックイコライザ、ハイパスフィルタ、及びローパスフィルタのうちのいずれか一つが含まれる
請求項１から請求項３のいずれか一項に記載の信号処理装置。
【請求項５】
前記設定処理部は、前記音信号の周波数を特定できない場合に、前記設定周波数の設定を更新しない
請求項１から請求項４のいずれか一項に記載の信号処理装置。
【請求項６】
前記設定処理部は、前記音信号の基音及び倍音を含む倍音列の周波数を特定し、特定した前記倍音列の周波数を前記エフェクタの設定周波数に設定する
請求項１から請求項５のいずれか一項に記載の信号処理装置。
【請求項７】
指示部が、音信号に所定の音響効果を付加するエフェクタの設定周波数の設定を指示し、
設定処理部が、前記指示部からの指示に基づいて、音信号入力部から入力された音信号の周波数を特定し、特定した前記音信号の周波数を前記エフェクタの設定周波数に設定する
信号処理方法。
【請求項８】
音信号入力部と、音信号に所定の音響効果を付加するエフェクタの設定周波数の設定を指示する指示部とを備える信号処理装置のコンピュータに、
前記指示部からの指示に基づいて、前記音信号入力部から入力された音信号の周波数を特定する周波数特定ステップと、
前記周波数特定ステップによって特定された前記音信号の周波数を前記エフェクタの設定周波数に設定する周波数設定ステップと
を実行させるためのプログラム。
【発明の詳細な説明】
【技術分野】
【０００１】
本発明は、信号処理装置、信号処理方法、及びプログラムに関する。
【背景技術】
【０００２】
パラメータを変更可能なパラメトリックイコライザ（ＰＥＱ：Parametric Equalizer）などのエフェクタを用いた信号処理装置が知られている（例えば、特許文献１を参照）。
【先行技術文献】
【特許文献】
【０００３】
【特許文献１】米国特許出願公開第２００５／０１９０９３０号明細書
【発明の概要】
【発明が解決しようとする課題】
【０００４】
しかしながら、上述したような従来の信号処理装置では、例えば、ＰＥＱなどのエフェクタによる音響効果を付加する周波数を設定する場合に、利用者は設定ツマミなどのコントローラを手動で操作して音を出しながら周波数を確認し、対象の周波数を決定する必要があった。そのため、従来の信号処理装置では、周波数の設定作業が煩雑だった。
【０００５】
本発明は、上記問題を解決すべくなされたもので、その目的は、信号処理における周波数の設定を容易に行うことができ、利便性を向上させることができる信号処理装置、信号処理方法、及びプログラムを提供することにある。
【課題を解決するための手段】
【０００６】
上記問題を解決するために、本発明の一態様は、音信号入力部と、音信号に所定の音響効果を付加するエフェクタの設定周波数の設定を指示する指示部と、前記指示部からの指示に基づいて、前記音信号入力部から入力された音信号の周波数を特定し、特定した前記音信号の周波数を前記エフェクタの設定周波数に設定する設定処理部とを備える信号処理装置である。
【０００７】
また、本発明の一態様は、指示部が、音信号に所定の音響効果を付加するエフェクタの設定周波数の設定を指示し、設定処理部が、前記指示部からの指示に基づいて、音信号入力部から入力された音信号の周波数を特定し、特定した前記音信号の周波数を前記エフェクタの設定周波数に設定する信号処理方法である。
【０００８】
また、本発明の一態様は、音信号入力部と、音信号に所定の音響効果を付加するエフェクタの設定周波数の設定を指示する指示部とを備える信号処理装置のコンピュータに、前記指示部からの指示に基づいて、前記音信号入力部から入力された音信号の周波数を特定する周波数特定ステップと、前記周波数特定ステップによって特定された前記音信号の周波数を前記エフェクタの設定周波数に設定する周波数設定ステップとを実行させるためのプログラムである。
【発明の効果】
【０００９】
本発明によれば、信号処理における周波数の設定を容易に行うことができ、利便性を向上させることができる。
【図面の簡単な説明】
【００１０】
【図１】本実施形態による信号処理装置の一例を示すブロック図である。
【図２】本実施形態におけるＰＥＱの周波数設定処理の一例を示すフローチャートである。
【図３】本実施形態におけるＰＥＱのパラメータの調整処理の一例を示すフローチャートである。
【図４】本実施形態における信号処理装置のＰＥＱの設定処理の一例を示すフローチャートである。
【図５】本実施形態における信号処理装置のＰＥＱの設定処理の一例を示す図である。
【図６】本実施形態におけるＰＥＱの動作の一例を示すフローチャートである。
【発明を実施するための形態】
【００１１】
以下、本発明の一実施形態による信号処理装置、及び信号処理方法について、図面を参照して説明する。
図１は、本実施形態による信号処理装置１の一例を示すブロック図である。
図１に示すように、信号処理装置１は、音信号入力部１１と、ＰＥＱ１２と、音信号出力部１３と、周波数指定スイッチ１４と、調整スイッチ１５と、設定処理部１６とを備える。
【００１２】
音信号入力部１１は、入力端子や入力コネクタなどであり、入力された音信号（入力音信号）を受け付け、入力音信号を、ＰＥＱ１２及び設定処理部１６に出力する。
【００１３】
ＰＥＱ（Parametric Equalizer）１２（エフェクタの一例）は、音信号入力部１１が受け付けた入力音信号に所定の音響効果を付加する。ＰＥＱ１２は、例えば、ＤＳＰ（Digital Signal Processor）を備え、ＤＳＰによるデジタル信号処理によりパラメトリックイコライザの機能を実現する。ＰＥＱ１２は、例えば、設定された周波数（設定周波数）及びパラメータに基づいて、設定周波数を中心とした所定の範囲の信号レベルを増幅又は低減する音響処理を実行する。
【００１４】
ここで、設定周波数は、例えば、ＰＥＱ１２による音響効果を付加する処理を実行する中心周波数である。ＰＥＱ１２は、入力音信号に所定の音響効果を付加した音信号を音信号出力部１３に出力する。ＰＥＱ１２のパラメータには、信号レベルを増幅又は低減するゲイン、及びゲイン設定する帯域幅を定めるＱ値などが含まれる。
【００１５】
音信号出力部１３は、例えば、出力端子や出力コネクタなどのであり、ＰＥＱ１２によって所定の音響効果が付加された音信号（出力音信号）を外部に出力する。なお、音信号出力部１３は、例えば、ＤＡＣ（Digital to Analog Converter）及び出力アンプなどを含んでもよい。
【００１６】
周波数指定スイッチ１４（指示部の一例）は、上述したＰＥＱ１２の設定周波数の設定を指示する。周波数指定スイッチ１４は、例えば、ボタンスイッチやフットスイッチであり、利用者によって押下されることで、設定周波数の設定指示を設定処理部１６に出力する。
【００１７】
調整スイッチ１５は、例えば、ＰＥＱ１２の各種パラメータを調整する調整キー、調整ツマミ、調整ノブ、スライダーなどであり、利用者から各種パラメータを調整する調整情報を受け付け、設定処理部１６に出力する。
【００１８】
設定処理部１６は、周波数指定スイッチ１４からの指示に基づいて、音信号入力部１１から入力された音信号（入力音信号）の周波数を特定し、特定した音信号の周波数をＰＥＱ１２の設定周波数に設定する。すなわち、設定処理部１６は、入力音信号の周波数（例えば、基音の周波数）を、設定周波数としてＰＥＱ１２に出力し、ＰＥＱ１２の設定周波数の設定変更を実行する。また、設定処理部１６は、音信号の周波数を特定できない場合に、設定周波数の設定変更を実行しない。
【００１９】
設定処理部１６は、調整スイッチ１５からの調整情報に基づいて、ＰＥＱ１２のパラメータの設定変更を実行する。設定処理部１６は、調整スイッチ１５が調整されることにより、ＰＥＱ１２のパラメータ（例えば、ゲイン及びＱ値）の設定の調整を行う。
設定処理部１６は、周波数抽出部１６１と、周波数設定部１６２と、パラメータ調整部１６３とを備えている。
【００２０】
周波数抽出部１６１は、入力音信号に含まれる周波数を抽出する。周波数抽出部１６１は、周波数指定スイッチ１４からの指示に応じて、音信号入力部１１から入力音信号を取得し、取得した入力音信号を、例えば、ＦＦＴ（Fast Fourier Transform）や既存のピッチ抽出技術などを利用して、入力音信号に含まれる周波数（例えば、基音の周波数）を抽出する。周波数抽出部１６１は、入力された音の周波数のピークを抽出し、基音にあたる最も低いピークの周波数を抽出する。
周波数抽出部１６１は、例えば、周波数指定スイッチ１４が押下された指示後に最初に入力された入力音信号の周波数を抽出してもよいし、周波数指定スイッチ１４が押下されている期間に入力された入力音信号の周波数を抽出してもよい。
【００２１】
周波数設定部１６２は、周波数抽出部１６１が抽出した周波数に基づいて、設定周波数を特定する。周波数設定部１６２は、例えば、周波数抽出部１６１が抽出した基音の周波数を設定周波数として特定する。具体的に、周波数設定部１６２は、例えば、周波数抽出部１６１が抽出した周波数が倍音列（例えば、基音、２倍音、３倍音、等の周波数列）を構成している場合に、基音の周波数を設定周波数として特定する。また、周波数設定部１６２は、例えば、周波数抽出部１６１が抽出した周波数が単一周波数（正弦波）でなく、抽出した周波数が倍音列を構成していない場合に、設定周波数を正常に特定できなかったと判定する。
【００２２】
周波数設定部１６２は、設定周波数として特定した入力音信号の周波数（例えば、基音の周波数）を、ＰＥＱ１２に設定する。なお、周波数設定部１６２は、設定周波数を正常に特定できなかった場合（周波数抽出部１６１が抽出した周波数が単一周波数（正弦波）でなく、抽出した周波数が倍音列を構成していない場合）に、設定周波数の変更（設定）を実行しない。すなわち、周波数設定部１６２は、入力音信号に単音の音信号が入力された場合に、当該単音の周波数（基音の周波数）を設定周波数としてＰＥＱ１２に設定し、入力音信号に単音以外の音信号が入力された場合に、設定周波数の設定変更を実行しない。
【００２３】
パラメータ調整部１６３は、調整スイッチ１５から調整情報を取得し、当該調整情報に基づいて、ＰＥＱ１２のパラメータを変更（調整）する。例えば、調整スイッチ１５からゲイン及びＱ値を調整する調整情報を取得した場合、パラメータ調整部１６３は、調整情報に応じたゲイン及びＱ値を、ＰＥＱ１２に設定する。なお、パラメータ調整部１６３は、調整スイッチ１５から取得した調整情報に基づいて、周波数設定部１６２が設定した設定周波数を調整するようにしてもよい。
【００２４】
図面を参照して、本実施形態による信号処理装置１の動作について説明する。
まず、図２を参照して、本実施形態におけるＰＥＱ１２の周波数設定処理について説明する。
図２は、本実施形態におけるＰＥＱ１２の周波数設定処理の一例を示すフローチャートである。
【００２５】
図２に示すように、信号処理装置１の設定処理部１６は、まず、周波数指定スイッチ１４からの指示があるか否かを判定する（ステップＳ１０１）。設定処理部１６は、例えば、周波数指定スイッチ１４が押下されて、ＰＥＱ１２の設定周波数の設定指示が周波数指定スイッチ１４からあるか否かを判定する。設定処理部１６は、周波数指定スイッチ１４からの設定指示がある場合（ステップＳ１０１：ＹＥＳ）に、処理をステップＳ１０２に進める。また、設定処理部１６は、周波数指定スイッチ１４からの設定指示がない場合（ステップＳ１０１：ＮＯ）に、処理をステップＳ１０１に戻す。
【００２６】
ステップＳ１０２において、設定処理部１６の周波数抽出部１６１は、音信号から周波数を抽出する。すなわち、周波数抽出部１６１は、周波数指定スイッチ１４からの設定指示に応じて、音信号入力部１１から入力音信号を取得し、取得した入力音信号に含まれる周波数を抽出する。
【００２７】
設定処理部１６の周波数設定部１６２は、周波数の抽出結果に基づいて、設定周波数を特定する（ステップＳ１０３）。周波数設定部１６２は、例えば、周波数抽出部１６１が抽出した基音の周波数を設定周波数として特定する。
【００２８】
周波数設定部１６２は、設定周波数を正常に特定できたか否かを判定する（ステップＳ１０４）。すなわち、周波数設定部１６２は、例えば、周波数抽出部１６１が抽出した周波数が単一周波数（正弦波）である、又は倍音列を構成しているか否かによって、設定周波数を正常に特定できたか否かを判定する。周波数設定部１６２は、設定周波数を正常に特定できた（例えば、基音の周波数が特定できた）場合（ステップＳ１０４：ＹＥＳ）に、処理をステップＳ１０５に進める。また、周波数設定部１６２は、設定周波数を正常に特定できなかった（例えば、基音の周波数が特定できながった）場合（ステップＳ１０４：ＮＯ）に、処理をステップＳ１０１に戻し、ＰＥＱ１２の設定周波数の変更を実行しない。
【００２９】
ステップＳ１０５において、周波数設定部１６２は、設定周波数をＰＥＱ１２に設定する。すなわち、周波数設定部１６２は、特定した設定周波数（例えば、基音の周波数）を、ＰＥＱ１２に出力し、設定周波数を設定させる。周波数設定部１６２は、ステップＳ１０５の処理後に、処理をステップＳ１０１に戻して、ステップＳ１０１からステップＳ１０５の処理を繰り返す。
【００３０】
このように、本実施形態における周波数設定処理では、設定処理部１６が、周波数指定スイッチ１４からの指示に基づいて、音信号入力部１１から入力された入力音信号の周波数を特定し、特定した入力音信号の周波数（例えば、基音の周波数）をＰＥＱ１２の設定周波数に設定する。
【００３１】
上述した図２に示す処理において、ステップＳ１０２及びステップＳ１０３の処理は、周波数指定スイッチ１４からの指示に基づいて、音信号入力部１１から入力された音信号の周波数を特定する周波数特定ステップに対応する。また、ステップＳ１０４及びステップＳ１０３の処理は、特定された音信号の周波数をＰＥＱ１２の設定周波数に設定する周波数設定ステップに対応する。
【００３２】
図３を参照して、本実施形態におけるＰＥＱ１２のパラメータの調整処理について説明する。
図３は、本実施形態におけるＰＥＱ１２のパラメータの調整処理の一例を示すフローチャートである。
【００３３】
図３に示すように、信号処理装置１の設定処理部１６は、まず、調整スイッチ１５から調整の指示があるか否かを判定する（ステップＳ２０１）。設定処理部１６は、例えば、調整スイッチ１５が調整されて、ＰＥＱ１２のパラメータを調整する調整の指示が調整スイッチ１５からあるか否かを判定する。設定処理部１６は、調整スイッチ１５からの調整の指示がある場合（ステップＳ２０１：ＹＥＳ）に、処理をステップＳ２０２に進める。また、設定処理部１６は、調整スイッチ１５からの調整の指示がない場合（ステップＳ２０１：ＮＯ）に、処理をステップＳ２０１に戻す。
【００３４】
ステップＳ２０２において、設定処理部１６のパラメータ調整部１６３は、調整の指示に基づいて、パラメータをＰＥＱ１２に設定する。すなわち、パラメータ調整部１６３は、調整スイッチ１５からの調整の指示に含まれる調整情報に基づいて、パラメータをＰＥＱ１２に設定する。パラメータ調整部１６３は、例えば、ＰＥＱ１２のゲイン及びＱ値などを、パラメータとして、ＰＥＱ１２に出力し、ＰＥＱ１２のパラメータを変更する。パラメータ調整部１６３は、ステップＳ２０２の処理後に、処理をステップＳ２０１に戻す。
【００３５】
このように、本実施形態におけるパラメータの調整処理では、パラメータ調整部１６３が、調整スイッチ１５からの調整の指示に基づいて、ＰＥＱ１２のパラメータを調整する。
【００３６】
図４及び図５を参照して、本実施形態におけるＰＥＱ１２の設定処理の手順の一例について説明する。
図４は、本実施形態における信号処理装置１のＰＥＱ１２の設定処理の一例を示すフローチャートである。図５は、本実施形態における信号処理装置１のＰＥＱ１２の設定処理の一例を示す図である。図５に示すグラフにおいて、縦軸は信号レベル（又はゲイン）を示し、横軸は周波数を示している。
【００３７】
図４に示すように、本実施形態における信号処理装置１において、ＰＥＱ１２の設定処理を行う場合に、利用者は、まず、調整スイッチ１５を調整してパラメータをＰＥＱ１２に設定する（ステップＳ３０１）。すなわち、信号処理装置１のパラメータ調整部１６３は、上述した図３に示すＰＥＱ１２のパラメータの調整処理によって、パラメータをＰＥＱ１２に設定する。
【００３８】
これにより、ＰＥＱ１２には、例えば、図５（ａ）のイコライザ特性Ｅｃ１に示すようなパラメータが設定される。
図５（ａ）に示すＰＥＱ１２のゲイン特性において、イコライザ特性Ｅｃ１は、上述のステップＳ３０１におけるパラメータの調整処理によって、設定変更前の設定周波数（以前に設定された周波数のまま）で、パラメータを調整した状態を示している。
【００３９】
利用者は、周波数指定スイッチ１４を押下して音信号を入力することで、設定周波数をＰＥＱに設定する（ステップＳ３０２）。信号処理装置１の設定処理部１６は、上述した図２に示すＰＥＱ１２の周波数設定処理によって、設定周波数をＰＥＱ１２に設定する。
【００４０】
ここで、音信号は、単音の音信号であり、設定処理部１６は、周波数指定スイッチ１４からの指示に応じて、音信号入力部１１を介して、単音の音信号（入力音信号）を取得する。また、設定処理部１６の周波数抽出部１６１が、取得した入力音信号に含まれる周波数を抽出し、設定処理部１６の周波数設定部１６２が、周波数抽出部１６１が抽出した周波数に基づいて、設定周波数を特定する。周波数設定部１６２は、特定した設定周波数をＰＥＱ１２に設定する。
【００４１】
これにより、ＰＥＱ１２には、図５（ｂ）のイコライザ特性Ｅｃ２に示すような設定周波数及びパラメータが設定される。
図５（ｂ）に示すＰＥＱ１２のゲイン特性において、イコライザ特性Ｅｃ２は、上述のステップＳ３０２における周波数設定処理によって、設定周波数が設定された状態を示している。また、周波数Ｆ１〜周波数Ｆ３は、入力音信号から周波数抽出部１６１が抽出した周波数を示している。
【００４２】
入力音信号は、単音であるため、周波数抽出部１６１は、例えば、基音の周波数Ｆ１と、２倍音の周波数Ｆ２と、３倍音の周波数Ｆ３とを抽出する。
周波数設定部１６２は、図５（ｂ）に示すように、周波数Ｆ１〜周波数Ｆ３のうちから、最も周波数が低い基音の周波数Ｆ１を設定周波数として特定し、設定周波数をＰＥＱ１２に設定する。これにより、イコライザ特性Ｅｃ２に示すように、ＰＥＱ１２は、周波数Ｆ１が設定周波数として設定される。ステップＳ３０２の処理後に、設定処理部１６は、ＰＥＱ１２の設定処理を終了する。
【００４３】
上述した図４に示す例では、パラメータをＰＥＱ１２に設定した後に、設定周波数をＰＥＱ１２に設定する例を説明したが、設定周波数をＰＥＱ１２に設定した後に、パラメータをＰＥＱ１２に設定するようにしてもよい。すなわち、信号処理装置１の設定処理部１６は、上述した図４に示すステップＳ３０１の処理とステップＳ３０２の処理との順番を逆転させて、信号処理装置１の設定処理部１６が、ＰＥＱ１２の周波数設定処理を実行した後に、ＰＥＱ１２のパラメータの調整処理を実行するようにしてもよい。
【００４４】
図６を参照して、本実施形態におけるＰＥＱ１２の動作について説明する。
図６は、本実施形態におけるＰＥＱ１２の動作の一例を示すフローチャートである。
図６に示すように、ＰＥＱ１２は、まず、入力音信号を取得する（ステップＳ４０１）。ＰＥＱ１２は、音信号入力部１１を介して、入力音信号を取得する。
【００４５】
ＰＥＱ１２は、設定された周波数及びパラメータによりＰＥＱを動作させて取得した入力音信号に音響効果を付加する（ステップＳ４０２）。ＰＥＱ１２は、例えば、設定処理部１６が設定した設定周波数及びパラメータに基づいて、所定の音響効果を付加する。
【００４６】
ＰＥＱ１２は、音響効果を付加した音信号を音信号出力部１３から出力させる（ステップＳ４０３）。すなわち、ＰＥＱ１２は、音響効果を付加した音信号を音信号出力部１３に出力し、音信号出力部１３が当該音信号を外部に出力する。ステップＳ４０３の処理後に、ＰＥＱ１２は、処理をステップＳ４０１に戻し、ステップＳ４０１からステップＳ４０３の処理を繰り返す。
【００４７】
以上説明したように、本実施形態による信号処理装置１は、音信号入力部１１と、周波数指定スイッチ１４（指示部）と、設定処理部１６とを備える。音信号入力部１１は、入力された音信号（入力音信号）を受け付ける。周波数指定スイッチ１４は、音信号に所定の音響効果を付加するＰＥＱ１２（エフェクタ）の設定周波数の設定を指示する。設定処理部１６は、周波数指定スイッチ１４からの指示に基づいて、音信号入力部１１から入力された音信号の周波数を特定し、特定した音信号の周波数をＰＥＱ１２の設定周波数に設定する。
【００４８】
これにより、本実施形態による信号処理装置１は、楽器音などの特定の音程を持つ単音を入力音信号として入力することで、音響効果を付加したい音域（設定周波数）を直感的、且つ容易に指定することができる。よって、本実施形態による信号処理装置１は、容易に周波数の設定を行うことができ、利便性を向上させることができる。
楽器の演奏者にとって、最も直感的に音程（周波数）を表現する手段は、楽器でその音程の音を出す（演奏）することである。本実施形態による信号処理装置１では、周波数指定スイッチ１４を押下しながら、楽器で対象の音を演奏することで、利用者にとって直感的かつ容易に、ＰＥＱ１２の設定を行うことができる。
【００４９】
また、本実施形態による信号処理装置１は、音信号入力部１１から入力された音信号を用いてＰＥＱ１２の設定周波数を設定するとともに、音信号入力部１１から入力された音信号に、ＰＥＱ１２により音響効果を付加する。すなわち、本実施形態による信号処理装置１では、１つの音信号入力部１１に入力された音信号で、設定周波数の設定処理と、音響効果を付加処理とを行うことができる。そのため、本実施形態による信号処理装置１では、音信号のケーブル接続は従来のＰＥＱと同じであり、追加の信号ケーブル接続や、専用楽器を必要としない。すなわち、本実施形態による信号処理装置１は、音信号の入出力インターフェースが従来のＰＥＱを備える信号処理装置と同一であるため、従来の信号処理装置の代わりにそのまま置き換えることができる。
【００５０】
また、本実施形態による信号処理装置１は、ＰＥＱ１２と、音信号出力部１３とを備える。ＰＥＱ１２は、設定処理部１６が設定した設定周波数に基づいて、音信号入力部１１から入力された音信号に、所定の音響効果を付加する。音信号出力部１３は、ＰＥＱ１２によって所定の音響効果が付加された音信号（出力音信号）を出力する。
これにより、本実施形態による信号処理装置１は、音信号入力部１１から入力された音信号を、周波数の設定の他に、ＰＥＱ１２の入力として用い、ＰＥＱ１２により音響効果を付加して出力することができる。
【００５１】
また、本実施形態では、エフェクタには、少なくともパラメトリックイコライザ（ＰＥＱ１２）、ハイパスフィルタ、及びローパスフィルタのうちのいずれか一つが含まれてもよい。
これにより、本実施形態による信号処理装置１は、パラメトリックイコライザ（ＰＥＱ１２）の周波数設定において、直感的に、且つ、容易に、ＰＥＱ１２の設定を行うことができる。
【００５２】
また、本実施形態では、設定処理部１６は、入力された音の周波数のピークを抽出し、基音にあたる最も低いピークの周波数を特定する音信号の周波数の特定処理において、音信号の周波数を特定できない場合に、設定周波数の変更を実行しない。すなわち、設定処理部１６は、音信号の周波数を特定できない場合に、設定周波数の設定を更新しない。
これにより、本実施形態による信号処理装置１は、例えば、明確に単音を入力した場合など、確実に利用者が意図する周波数に、ＰＥＱ１２の設定周波数を設定することができる。
【００５３】
また、本実施形態による信号処理方法では、周波数指定スイッチ１４が、入力された音信号を受け付ける音信号入力部１１が受け付けた音信号に所定の音響効果を付加するＰＥＱ１２の設定周波数の設定を指示し、設定処理部１６が、周波数指定スイッチ１４からの指示に基づいて、音信号入力部１１から入力された音信号の周波数を特定し、特定した音信号の周波数をＰＥＱ１２の設定周波数に設定する。
これにより、本実施形態による信号処理方法は、上述した信号処理装置１と同様の効果を奏し、容易にＰＥＱ１２の周波数の設定を行うことができ、利便性を向上させることができる。
【００５４】
なお、本発明は、上記の実施形態に限定されるものではなく、本発明の趣旨を逸脱しない範囲で変更可能である。
例えば、上記の実施形態において、エフェクタの一例として、パラメトリックイコライザ（ＰＥＱ１２）である例を説明したが、これに限定されるものではなく、エフェクタとして、ハイパスフィルタ、ローパスフィルタ、ノッチフィルタ、バンドパスフィルタなどの周波数の設定を必要とする他のエフェクタに適用してもよい。
【００５５】
また、上記の実施形態において、ＰＥＱ１２は、設定処理部１６が設定周波数の設定に用いた音信号と同一の音信号入力部１１から入力された音信号に、所定の音響効果を付加する例を説明したが、異なる音信号入力部から入力された音信号に所定の音響効果を付加するようにしてもよい。例えば、信号処理装置１は、複数の音信号入力部を備え、複数の音信号入力部のうちの１つに入力された音信号で設定周波数の設定を行い、他の音信号入力部から入力された音信号に所定の音響効果を付加するようにしてもよい。
【００５６】
また、上記の実施形態において、信号処理装置１は、ＰＥＱ１２と、音信号出力部１３とを含む例を説明したが、これに限定されるものではなく、信号処理装置１の外部にＰＥＱ１２と、音信号出力部１３とを備え、信号処理装置１は、設定装置として機能させるようにしてもよい。この場合、信号処理装置１は、外付けのＰＥＱなどのエフェクタの設定に利用することができ、容易に設定を行うことができる音響効果の自由度を高めることができる。
【００５７】
また、上記の実施形態において、設定処理部１６は、基音の周波数など１つ周波数を設定周波数として、ＰＥＱ１２に設定する例を説明したが、これに限定されるものではない。例えば、基音及び倍音などの倍音列、複数の設定周波数をＰＥＱ１２に設定するようにしてもよい。この場合、倍音列は、低次倍音、偶数倍音、奇数倍音、任意のｎ倍音を含むものであってもよい。
【００５８】
このように、設定処理部１６は、入力音信号の基音及び倍音を含む倍音列の周波数を特定し、特定した倍音列の周波数をＰＥＱ１２の設定周波数に設定するようにしてもよい。これにより、信号処理装置１は、一度に複数の周波数を設定することができ、さらに利便性を向上させることができる。
また、上記の実施形態において、設定処理部１６は、入力音信号に単音ではなく和音が入力された場合に、和音を構成するそれぞれの音程について同様に周波数を設定するようにしてもよい。
【００５９】
また、上記の実施形態において、設定処理部１６が、ＰＥＱ１２の周波数とパラメータとは、個別に設定する例を説明したが、これに限定されるものではなく、周波数に連動して、パラメータを変更するようにしてもよい。例えば、設定処理部１６が、倍音列の複数の周波数を設定する場合に、倍音のゲインを連動して変更（設定）するようにしてもよい。この場合、設定処理部１６は、例えば、連動により全て同じゲインにする、周波数が高いほどゲインを小さくする、などを行ってもよい。
【００６０】
また、上記の実施形態において、設定処理部１６は、設定した周波数を、調整スイッチ１５によって、相対的に微調整をするようにしてもよい。また、設定処理部１６は、入力音信号から設定周波数を設定する他に、例えば、入力音信号の信号レベルから、ＰＥＱ１２のゲインなどのパラメータを設定するようにしてもよい。この場合、設定処理部１６は、例えば、入力音信号の信号レベルが高い場合に、ゲインを大きくし、低い場合に、ゲインを小さく（例えば、負の値）にするようにしてもよい。
【００６１】
また、上記の実施形態において、設定処理部１６が音信号の周波数を特定できない場合に、設定周波数の変更を実行しない例を説明したが、さらに、周波数の特定に失敗したことを示す警報（例えば、失敗を示す発光素子の点灯など）を通知するようにしてもよい。
【００６２】
また、上記の実施形態において、信号処理装置１は、音響機器の他に、例えば、スマートフォンやタブレット端末装置、ＰＣ（パーソナルコンピュータ）などの電子機器であってもよい。
【００６３】
なお、上述した信号処理装置１が備える各構成は、内部に、コンピュータシステムを有している。そして、上述した信号処理装置１が備える各構成の機能を実現するためのプログラムをコンピュータ読み取り可能な記録媒体に記録して、この記録媒体に記録されたプログラムをコンピュータシステムに読み込ませ、実行することにより上述した信号処理装置１が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【００６４】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後に信号処理装置１が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【００６５】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【００６６】
１…信号処理装置、１１…音信号入力部、１２…ＰＥＱ、１３…音信号出力部、１４…周波数指定スイッチ、１５…調整スイッチ、１６…設定処理部、１６１…周波数抽出部、１６２…周波数設定部、１６３…パラメータ調整部
【図１】
2020205564.tif 000003
【図２】
2020205564.tif 000004
【図３】
2020205564.tif 000005
【図４】
2020205564.tif 000006
【図５】
2020205564.tif 000007
【図６】
2020205564.tif 000008